【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
（ａ）被験者から得た試料中のサルコシン、システイン、グルタミン酸塩、アスパラギン、グリシン、ロイシン、プロリン、スレオニン、ヒスチジン、ｎ−アセチルアスパラギン酸、イノシン、イノシトール、アデノシン、タウリン、クレアチン、尿酸、グルタチオン、ウラシル、キヌレニン、グリセロール−ｓ−リン酸塩、グリココール酸、スベリン酸、グルタミン酸、キサントシン、４−アセトアミド酪酸、およびチミンからなる群から選択される１種類以上の癌特異的代謝産物の有無を検出すること、ならびに
（ｂ）前記癌特異的代謝産物の存在に基づいて癌を検出すること
を含む、癌を検出する方法。
【請求項２】
前記癌が前立腺癌である、請求項１に記載の方法。
【請求項３】
前記癌特異的代謝産物が、癌試料に存在するが、非癌試料には存在しない、請求項１に記載の方法。
【請求項４】
前記試料が、組織試料、血液試料、血清試料、および尿試料からなる群から選択される、請求項１に記載の方法。
【請求項５】
前記組織試料が生検試料である、請求項４に記載の方法。
【請求項６】
前記癌特異的代謝産物が、クエン酸塩、リンゴ酸塩、およびＮ−アセチルチロシンからなる群から選択される１種類以上の癌特異的代謝産物をさらに含む、請求項１に記載の方法。
【請求項７】
前記１種類以上の癌特異的代謝産物がクエン酸塩、リンゴ酸塩、Ｎ−アセチルチロシン、Ｎ−アセチルアスパラギン酸、およびサルコシンである、請求項６に記載の方法。
【請求項８】
（ａ）癌と診断された被験者由来の試料に含まれるサルコシン・レベルの上昇の有無を検出すること、および
（ｂ）前記サルコシン・レベルの上昇の存在に基づいて前記前立腺癌を特徴付けること
を含む、前立腺癌を特徴付ける方法。
【請求項９】
前記試料に含まれるサルコシン・レベルの上昇の存在が前記被験者の侵襲性前立腺癌を示す、請求項８に記載の方法。
【請求項１０】
前記試料が、組織試料、血液試料、血清試料、および尿試料からなる群から選択される、請求項８に記載の方法。
【請求項１１】
（ａ）細胞を試験化合物と接触させること、ならびに
（ｂ）サルコシン、システイン、グルタミン酸塩、アスパラギン、グリシン、ロイシン、プロリン、スレオニン、ヒスチジン、ｎ−アセチルアスパラギン酸、イノシン、イノシトール、アデノシン、タウリン、クレアチン、尿酸、グルタチオン、ウラシル、キヌレニン、グリセロール−ｓ−リン酸塩、グリココール酸、スベリン酸、チミン、グルタミン酸、キサントシン、４−アセトアミド酪酸、グリシン−Ｎ−メチル基転移酵素、およびチミンからなる群から選択される癌特異的代謝産物のレベルを増減する能力について、前記試験化合物を検定すること
を含む、化合物をスクリーニングする方法。
【請求項１２】
前記癌特異的代謝産物が、クエン酸塩、リンゴ酸塩、およびＮ−アセチルチロシンからなる群から選択される１種類以上の癌特異的代謝産物をさらに含む、請求項１１に記載の方法。
【請求項１３】
前記癌が癌細胞である、請求項１１に記載の方法。
【請求項１４】
前記細胞がインビトロである、請求項１１に記載の方法。
【請求項１５】
前記細胞がエクスビボである、請求項１１に記載の方法。
【請求項１６】
前記化合物が小分子である、請求項１１に記載の方法。
【請求項１７】
前記化合物が前記癌特異的代謝物の合成または分解に関与する酵素の発現を抑制する核酸である、請求項１１に記載の方法。
【請求項１８】
前記核酸がアンチセンス核酸、ｓｉＲＮＡ、およびｍｉＲＮＡからなる群から選択される、請求項１７に記載の方法。
【請求項１９】
前記癌細胞が前立腺癌細胞である、請求項１３に記載の方法。
【請求項２０】
サルコシン、システイン、グルタミン酸塩、アスパラギン、グリシン、ロイシン、プロリン、スレオニン、ヒスチジン、ｎ−アセチルアスパラギン酸、イノシン、イノシトール、アデノシン、タウリン、クレアチン、尿酸、グルタチオン、ウラシル、キヌレニン、グリセロール−ｓ−リン酸塩、グリココール酸、スベリン酸、チミン、グルタミン酸、キサントシン、４−アセトアミド酪酸、グリシン−Ｎ−メチル基転移酵素、およびチミンからなる群から選択される癌特異的代謝産物のレベルを化合物が増加または減少させる条件下で、該化合物と細胞とを接触させるための、
化合物を含む、細胞の増殖を抑制するための医薬組成物。
【請求項２１】
前記代謝産物がサルコシンである、請求項２０に記載の医薬組成物。
【請求項２２】
前記細胞が癌細胞である、請求項２０に記載の医薬組成物。
【請求項２３】
前記細胞がインビトロである、請求項２０に記載の医薬組成物。
【請求項２４】
前記細胞がインビボである、請求項２０に記載の医薬組成物。
【請求項２５】
前記細胞がエクスビボである、請求項２０に記載の医薬組成物。
【請求項２６】
前記化合物が小分子である、請求項２０に記載の医薬組成物。
【請求項２７】
前記化合物が前記癌特異的代謝物の合成または分解に関与する酵素の発現を抑制する核酸である、請求項２０に記載の医薬組成物。
【請求項２８】
前記核酸がアンチセンス核酸、ｓｉＲＮＡ、およびｍｉＲＮＡからなる群から選択される、請求項２７に記載の医薬組成物。
【請求項２９】
前記癌細胞が前立腺癌細胞である、請求項２８に記載の医薬組成物。
【手続補正２】
【補正対象書類名】明細書
【補正対象項目名】００１５
【補正方法】変更
【補正の内容】
【００１５】
本発明のさらなる実施形態を、以下の詳細な説明および実験の項で説明する。
[請求項1001]
（ａ）被験者から得た試料中のサルコシン、システイン、グルタミン酸塩、アスパラギン、グリシン、ロイシン、プロリン、スレオニン、ヒスチジン、ｎ−アセチルアスパラギン酸、イノシン、イノシトール、アデノシン、タウリン、クレアチン、尿酸、グルタチオン、ウラシル、キヌレニン、グリセロール−ｓ−リン酸塩、グリココール酸、スベリン酸、グルタミン酸、キサントシン、4−アセトアミド酪酸、およびチミンからなる群から選択される1種類以上の癌特異的代謝産物の有無を検出すること、ならびに
（ｂ）前記癌特異的代謝産物の存在に基づいて癌を診断すること
を含む、癌を診断する方法。
[請求項1002]
前記癌が前立腺癌である、請求項1001に記載の方法。
[請求項1003]
前記癌特異的代謝産物が、癌試料に存在するが、非癌試料には存在しない、請求項1001に記載の方法。
[請求項1004]
前記試料が、組織試料、血液試料、血清試料、および尿試料からなる群から選択される、請求項1001に記載の方法。
[請求項1005]
前記組織試料が生検試料である、請求項1004に記載の方法。
[請求項1006]
前記癌特異的代謝産物が、クエン酸塩、リンゴ酸塩、およびＮ−アセチルチロシンからなる群から選択される1種類以上の癌特異的代謝産物をさらに含む、請求項1001に記載の方法。
[請求項1007]
前記1種類以上の癌特異的代謝産物がクエン酸塩、リンゴ酸塩、Ｎ−アセチルチロシン、Ｎ−アセチルアスパラギン酸、およびサルコシンである、請求項1006に記載の方法。
[請求項1008]
（ａ）癌と診断された被験者由来の試料に含まれるサルコシン・レベルの上昇の有無を検出すること、および
（ｂ）前記サルコシン・レベルの上昇の存在に基づいて前記前立腺癌を特徴付けること
を含む、前立腺癌を特徴付ける方法。
[請求項1009]
前記試料に含まれるサルコシン・レベルの上昇の存在が前記被験者の侵襲性前立腺癌を示す、請求項1008に記載の方法。
[請求項1010]
前記試料が、組織試料、血液試料、血清試料、および尿試料からなる群から選択される、請求項1008に記載の方法。
[請求項1011]
（ａ）細胞を試験化合物と接触させること、ならびに
（ｂ）サルコシン、システイン、グルタミン酸塩、アスパラギン、グリシン、ロイシン、プロリン、スレオニン、ヒスチジン、ｎ−アセチルアスパラギン酸、イノシン、イノシトール、アデノシン、タウリン、クレアチン、尿酸、グルタチオン、ウラシル、キヌレニン、グリセロール−ｓ−リン酸塩、グリココール酸、スベリン酸、チミン、グルタミン酸、キサントシン、4−アセトアミド酪酸、グリシン−Ｎ−メチル基転移酵素、およびチミンからなる群から選択される癌特異的代謝産物のレベルを増減する能力について、前記試験化合物を検定すること
を含む、化合物をスクリーニングする方法。
[請求項1012]
前記癌特異的代謝産物が、クエン酸塩、リンゴ酸塩、およびＮ−アセチルチロシンからなる群から選択される1種類以上の癌特異的代謝産物をさらに含む、請求項1011に記載の方法。
[請求項1013]
前記癌が癌細胞である、請求項1011に記載の方法。
[請求項1014]
前記細胞がインビトロである、請求項1011に記載の方法。
[請求項1015]
前記細胞がインビボである、請求項1011に記載の方法。
[請求項1016]
前記細胞がエクスビボである、請求項1011に記載の方法。
[請求項1017]
前記化合物が小分子である、請求項1011に記載の方法。
[請求項1018]
前記化合物が前記癌特異的代謝物の合成または分解に関与する酵素の発現を抑制する核酸である、請求項1011に記載の方法。
[請求項1019]
前記核酸がアンチセンス核酸、ｓｉＲＮＡ、およびｍｉＲＮＡからなる群から選択される、請求項1018に記載の方法。
[請求項1020]
前記癌細胞が前立腺癌細胞である、請求項1013に記載の方法。
[請求項1021]
サルコシン、システイン、グルタミン酸塩、アスパラギン、グリシン、ロイシン、プロリン、スレオニン、ヒスチジン、ｎ−アセチルアスパラギン酸、イノシン、イノシトール、アデノシン、タウリン、クレアチン、尿酸、グルタチオン、ウラシル、キヌレニン、グリセロール−ｓ−リン酸塩、グリココール酸、スベリン酸、チミン、グルタミン酸、キサントシン、4−アセトアミド酪酸、グリシン−Ｎ−メチル基転移酵素、およびチミンからなる群から選択される癌特異的代謝産物のレベルを化合物が増加または減少させる条件下で、該化合物と細胞とを接触させること
を含む、細胞の増殖を抑制する方法。
[請求項1022]
前記代謝産物がサルコシンである、請求項1021に記載の方法。
[請求項1023]
前記細胞が癌細胞である、請求項1021に記載の方法。
[請求項1024]
前記細胞がインビトロである、請求項1021に記載の方法。
[請求項1025]
前記細胞がインビボである、請求項1021に記載の方法。
[請求項1026]
前記細胞がエクスビボである、請求項1021に記載の方法。
[請求項1027]
前記化合物が小分子である、請求項1021に記載の方法。
[請求項1028]
前記化合物が前記癌特異的代謝物の合成または分解に関与する酵素の発現を抑制する核酸である、請求項1021に記載の方法。
[請求項1029]
前記核酸がアンチセンス核酸、ｓｉＲＮＡ、およびｍｉＲＮＡからなる群から選択される、請求項1028に記載の方法。
[請求項1030]
前記癌細胞が前立腺癌細胞である、請求項1029に記載の方法。